(57)【特許請求の範囲】
【請求項１】
ソレノイドであって
導線が巻かれた単コイルを有するソレノイド容器と、
該単コイルの空洞内に提供されており、該単コイルに通電される磁力を受けるように設計されている可動磁性体と、
ソレノイド容器内に配置され、固定磁性体であり、前記単コイルに通電されたときに前記可動磁性体を反発し、該単コイルに通電されていないときに該可動磁性体を引寄せる永久磁石と、
ソレノイド容器内に配置され、この永久磁石と可動磁性体との間の非磁性スペーサと、
前記単コイルに通電されていないときに、可動磁性体をスペーサに対して戻りポジションに戻す圧力を提供するための戻りバネと、を含んでおり、
前記戻りバネは、少なくとも一部がソレノイド容器の外側に配置されていることを特徴とするソレノイド。
【請求項２】
前記可動磁性体は、プランジャを含んでいることを特徴とする請求項１記載のソレノイド。
【請求項３】
前記戻りバネの反対側に提供されたエンドプレートと、該エンドプレートに接続された引寄スタッドとをさらに含んでおり、該引寄スタッドが単コイルに通電されたときに可動磁性体が有する磁極性と反対の磁極性を有することを特徴とする請求項１記載のソレノイド。
【請求項４】
前記単コイルは、前記ソレノイド容器に含まれるボビンの周囲に提供されていることを特徴とする請求項３記載のソレノイド。
【請求項５】
前記ボビンに接続した複数のシャント部材をさらに含んでおり、これらの前記シャント部材は永久磁石からのシャント部材の距離が増加すると、プランジャと永久磁石との間の保持力が減少するように設計されていることを特徴とする請求項４記載のソレノイド。
【請求項６】
前記複数のシャント部材と容器との間に空隙をさらに含んでいることを特徴とする請求項５記載のソレノイド。
【請求項７】
電磁式スイッチ装置であって、
導線が巻かれた単コイルを有したボビンと、
単コイル内に提供された可動プランジャと、
非磁性スペーサで該プランジャから分離されている永久磁石と、
を含んで構成されており、前記永久磁石は前記単コイルが脱エネルギー状態となったときに前記プランジャを引寄せ、該単コイルが有エネルギー状態となったときに該プランジャを反発し、可動プランジャの移動中に非磁性スペーサは固定位置に残ってなり、
永久磁石の磁力と同じ方向にプランジャに圧力をかけるように配置された戻りバネとで構成されてなることを特徴とする電磁スイッチ装置。
【請求項８】
前記エンドプレートとボビンの１端に接続された引寄スタッドをさらに含んでおり、単コイルが有エネルギー状態となると該引寄スタッドはプランジャを引き寄せることを特徴とする請求項７記載の電磁スイッチ装置。
【請求項９】
前記単コイルが脱エネルギー状態となるとプランジャにスペーサに対抗する圧力を付与するように設計された戻りバネをさらに含んでいることを特徴とする請求項８記載の電磁スイッチ装置。
【請求項１０】
前記プランジャは単コイルが脱エネルギー状態になると第１磁極性を有し、該単コイルが有エネルギー状態となると第２磁極性を有することを特徴とする請求項９記載の電磁スイッチ装置。
【請求項１１】
前記第２磁極性は、永久磁石に磁極性と合致することを特徴とする請求項１０記載の電磁スイッチ装置。
【請求項１２】
前記第２磁極性は、エンドプレートの磁極性とは反対であることを特徴とする請求項１１記載の電磁スイッチ装置。
【請求項１３】
前記単コイルと永久磁石との間でプランジャ周囲に放射状に提供された複数のシャント部材をさらに含んでいることを特徴とする請求項７記載の電磁スイッチ装置。
【請求項１４】
単コイルソレノイドであって、
導電線の単コイルが脱エネルギー状態にあるときに提供される第１電磁状態において、
非磁性スペーサによってプランジャから離されている永久磁石と、プランジャとの間の第１磁力回路と、
導電線の該単コイルが有エネルギー状態にあるときに提供される第２電磁状態にある、該プランジャと引寄部材との間の第２磁力回路と、
ソレノイド容器内に配置され、この永久磁石と可動磁性体との間の非磁性スペーサと、
前記単コイルに通電されていないときに、可動磁性体をスペーサに対して戻りポジションに戻す圧力を提供するための戻りバネと、を含んでおり、
前記戻りバネは、少なくとも一部がソレノイド容器の外側に配置されていることを特徴とするソレノイド。
【発明の詳細な説明】
【技術分野】
【０００１】
本発明は電磁石スイッチ装置に関する。特には双方向性アシストを備え、永久磁石を有した単コイルソレノイドに関する。
【背景技術】
【０００２】
ソレノイド等の電磁式スイッチ装置は燃料遮断装置や他形態の流体ポンプ遮断装置等に普通に用いられている。ソレノイドはスロットル、チョーク、バルブ、クラッチ、過速度防止装置等のエンジン系統にも頻用されている。従ってソレノイドはボート、芝刈り機、自動車、発電機等のエンジン駆動式装置に多く利用されている。
【０００３】
ソレノイドは電気エネルギーを機械作用に変換するように設計されている。典型的には、外側コイルに電流が流されるとプランジャ（棒ピストン）が直線式に往復運動するようになっている。コイルに流される電流はプランジャ周囲にプランジャを１方向に移動させる電界を発生させる。この作用を活用するため、プランジャは対象装置を選択的にＯＮ状態またはＯＦＦ状態とするように利用できる。
【０００４】
典型的にはソレノイドは銅線の単コイルまたは双コイルを含んでいる。単コイルソレノイドの場合には電流が流されると磁界が発生してプランジャを動かす。典型的にはこの磁界はプランジャを内側（引込）方向に移動させて有エネルギーポジションとする。単コイルソレノイドでは磁界を発生させるように流された電流はプランジャを動かすだけでなく、動かされたプランジャをその有エネルギーポジションに保持させなければならない。単コイルソレノイドの弱点はコイルが有エネルギー状態に長時間置かれるとコイルはオーバーヒートし、ソレノイドを故障させることである。この弱点を克服するため、長時間にわたってプランジャを有エネルギー状態に保持させる必要がある装置では双コイルソレノイドが一般的に使用されている。
【０００５】
典型的な双コイルソレノイドは図１で示されている。ソレノイド１０は第１（引）コイル１２と第２（保持）コイル１４を含む。一般的に、第１巻コイルにはプランジャ１６に最大の引力または押力を提供するために高電流が流される。第２巻コイルはプランジャが移動した後にプランジャを保持するだけのものであり、必要エネルギーは小さい。コイル１２、１４は典型的には銅線であり、プランジャは磨耗、摩擦、腐蝕に対して抵抗性を有するようにコーティングされた磁石材料である。プランジャを保持させるのに必要な電流量はプランジャ移動のための電流量よりも少ないのが普通である。よって双コイルソレノイドにはオーバーヒートすることなく継続的にエネルギーを与えられる。
【０００６】
コイル１２、１４とプランジャ１６は典型的には鋼製容器１８に収容されている。容器１８はソレノイドをフレーム等に搭載させる搭載ブラケット２０を含むことができる。ソレノイドの種類によってはプランジャ１６を脱エネルギーポジションに戻す力を与える戻りバネ２２がさらに提供されている。よってコイル１２の高電流によりプランジャに作用する磁力はバネ２２の戻し力に打ち克たなければならない。戻りバネ２２を含んだソレノイドではフレキシブルなダストカバー２４が一般的に使用され、戻りバネ２２を包んで容器１８に連結されている。
【０００７】
一般的に、容器１８の反対側には双ブレークスイッチ２６が提供されており、一方のコイルに選択的にエネルギーを付与する。すなわちスイッチ２６は引押コイル１２あるいは保持コイル１４に流される電流の力学的制御が維持されるように作用する。双ブレークスイッチ２６は典型的には埃や湿気に対して保護状態であり、保護容器２８は容器１８に固定されている。保護容器２８内には複数の端子が提供され、リード線をソレノイドに接続させている。
【０００８】
図１で示すように典型的なソレノイドはコイル構造体を提供する不導電性で非磁性であるボビンに巻き付けられた銅線を含んでいる。コイル構造体は導磁気殻体に構成され、導磁気殻体にエネルギーが与えられると電磁石となってプランジャのごとき可動磁性体に力を発生させる。プランジャに付与される力はボビンの巻線を流れる電流強度と巻数とに比例する。すなわち、電流と巻数が大きければ与えられる力は大きくなる。この比例関係によって銅線巻数を増やすか電流を増やせば力の大きさが増加する。大きさが限定されているソレノイドによってはボビンに２つの別々のコイルを使用する。これらコイルは典型的には引（押）コイルと保持コイルとである。
【０００９】
当初、引コイルには非常に大きな電流が流され、プランジャに大きな力を与える。典型的にはこの大きな力作用は短時間であり、電流は直ちに停止されてコイルのオーバーヒートが回避される。保持コイルにはそれよりも大幅に少ない電流が流される。引コイルは様々な方法でＯＦＦ状態とすることができるが、普通は力学的あるいは電気的に操作される。すなわち、力学的スイッチ手段においては、プランジャはソレノイドの一部である一連のスイッチ接点を開くことでゼロストロークまたはその近辺にて磁力回路を妨害する。これら接点の配置は高電流を扱う性能と同様に非常に重要である。このスイッチ設計はソレノイド全体の設計において考慮されなければならず、ソレノイドをさらに複雑化し、製造コストを高め、信頼性の問題も発生させる。
【００１０】
一方、電気制御式ソレノイドではスイッチ機能を提供するために一般的にリレー式またはソリッド式スイッチ装置が利用される。これら電機部品はソレノイド製造コストを押し上げる。電子部品を利用する別なスイッチ形態は引コイルと類似した巻線の単コイルを利用し、高当初力を発生させるために高電流を流すものである。電子部品は当初においてコイルに全パワーを供給する。プランジャが所定時間後にフルストロークに達すると、電子部品は比較的に高周波で電流のＯＮ・ＯＦＦ切替えを開始する。このプロセスは一般的にパルス幅変調と呼ばれ、高電流引コイルと低電流保持コイルの効率を高める。しかし、電子部品はソレノイドの製造コストを高めるだけでなく、機構を複雑化する。
【発明の開示】
【発明が解決しようとする課題】
【００１１】
よって、追加的な製造コストや、力学的あるいは電子式スイッチ構造体の複雑性を増大させることなく押し引き機能及び保持機能を達成させる単コイルを有したソレノイドが望まれている。
【課題を解決するための手段】
【００１２】
本発明は前述の弱点を克服する双方向性アシストを備えた永久磁石を有した単コイルソレノイドに関する。
【００１３】
ソレノイドは単コイルの巻き銅線と、その空洞部内に挿入されたプランジャを含んでいる。プランジャは電流が単コイルに流されるとソレノイドの空洞部内を直線状に移動するように設計されている。脱エネルギー状態ではプランジャはプランジャと永久磁石との間に提供された非磁性材料で成るスペーサに対抗したポジションとなる。すなわち、単コイルにエネルギーが付与されていないときにはプランジャは永久磁石に引き寄せられ、プランジャと永久磁石との間で相互引力を発生させ、プランジャを非磁性スペーサに対抗したポジションで保持される。電流が単コイルに流されると電磁状態が発生し、プランジャに永久磁石と同じ磁極性を持たせる。その結果、反発力がプランジャと永久磁石のとの間で発生し、プランジャをスペーサから直線的に離れさせる。ソレノイドはさらに引寄スタッドを有したエンドプレートを含んでおり、電流が単コイルに流されるとプランジャの磁極性は引寄スタッドに引き寄せされる。すなわち引寄スタッドはエネルギーを与えられたプランジャとは反対の磁極性を有する。オプションでソレノイドは単コイルの脱エネルギー中にスペーサに対抗したプランジャに戻り力を与える戻りバネを含むことができる。この点で単コイルに流される電流量はプランジャの磁極性を反対にするだけでなく、戻りバネのバネ力に打ち克つ力をプランジャに与えるものでなければならない。
【００１４】
従って本発明の１特徴によればソレノイドは巻線の単コイルを有した導磁性殻体を有している。ソレノイドは単コイルの空洞部に提供された可動磁性体も有している。この磁性体は電流が単コイルに流されたときに磁力を受け取るように提供される。ソレノイドは固定磁極性である永久磁石も含んでいる。この磁石は電流が単コイルに流されると可動磁性体を排斥し、電流が流されていないときに可動磁性体の片側端部を引き寄せる。
【００１５】
本発明の別の特徴によれば電磁スイッチ装置は銅線が巻かれた単コイルを有したボビンを含んでいる。可動プランジャは永久磁石と同様に単コイル内に提供されている。永久磁石は非磁性スペーサによりプランジャから分離されており、単コイルが脱エネルギー状態にあるときプランジャを引き寄せ、有エネルギー状態にあるときプランジャを排斥する。
【００１６】
本発明のさらに別な特徴によれば永久磁石の双方向性アシストを有した単コイルソレノイドを製造する方法が提供される。この方法はボビン周囲に１本の導電線を巻き付け、ボビンの空洞部内にプランジャを可動状態に設置するステップを含んでいる。この製造法はプランジャの１端側にスペーサと永久磁石とを配置し、プランジャをスペーサに対抗したポジションに押し付けるステップをさらに含んでいる。永久磁石とは反対側のボビンの端部に引寄スタッドを有したエンドプレートも提供される。
【００１７】
本発明の別な特徴によれば単コイルソレノイドはプランジャとプランジャから離れた永久磁石との間で単コイル線にエネルギーが付与されていないときに提供される第１電磁状態の第１磁力回路と、プランジャと引寄部材との間で単コイル線にエネルギーが付与されているときに提供される第２電磁状態の第２磁力回路とを含む。
【００１８】
本発明のさらに別な特徴ではソレノイドキットは銅線で巻かれた単コイルを受領するボビンと固定磁極性を有した永久磁石とを含んでいる。ソレノイドはボビンの空洞を直線的に移動するプランジャと、永久磁石とプランジャとの間に提供された非磁性スペーサをも含んでいる。
【００１９】
以下において本発明の他の目的や利点を図面を利用して詳細に解説する。
【発明の効果】
【００２０】
従って本発明の１特徴によればソレノイドは巻線の単コイルを有した導磁性殻体を有している。ソレノイドは単コイルの空洞部に提供された可動磁性体も有している。この磁性体は電流が単コイルに流されたときに磁力を受け取るように提供される。ソレノイドは固定磁極性である永久磁石も含んでいる。この磁石は電流が単コイルに流されると可動磁性体を排斥し、電流が流されていないときに可動磁性体の片側端部を引き寄せる。
【００２１】
本発明の別の特徴によれば電磁スイッチ装置は銅線が巻かれた単コイルを有したボビンを含んでいる。可動プランジャは永久磁石と同様に単コイル内に提供されている。永久磁石は非磁性スペーサによりプランジャから分離されており、単コイルが脱エネルギー状態にあるときプランジャを引き寄せ、有エネルギー状態にあるときプランジャを排斥する。
【００２２】
本発明のさらに別な特徴によれば永久磁石の双方向性アシストを有した単コイルソレノイドを製造する方法が提供される。この方法はボビン周囲に１本の導電線を巻き付け、ボビンの空洞部内にプランジャを可動状態に設置するステップを含んでいる。この製造法はプランジャの１端側にスペーサと永久磁石とを配置し、プランジャをスペーサに対抗したポジションに押し付けるステップをさらに含んでいる。永久磁石とは反対側のボビンの端部に引寄スタッドを有したエンドプレートも提供される。
【００２３】
本発明の別な特徴によれば単コイルソレノイドはプランジャとプランジャから離れた永久磁石との間で単コイル線にエネルギーが付与されていないときに提供される第１電磁状態の第１磁力回路と、プランジャと引寄部材との間で単コイル線にエネルギーが付与されているときに提供される第２電磁状態の第２磁力回路とを含む。
【００２４】
本発明のさらに別な特徴ではソレノイドキットは銅線で巻かれた単コイルを受領するボビンと固定磁極性を有した永久磁石とを含んでいる。ソレノイドはボビンの空洞を直線的に移動するプランジャと、永久磁石とプランジャとの間に提供された非磁性スペーサをも含んでいる。
【発明を実施するための最良の形態】
【００２５】
図２に示す単コイルソレノイドは双方向性アシストを有した永久磁石を含んでいる。本発明の実施例に係るソレノイドは、巻線の単コイルを有した導磁性殻体を有している。ソレノイド３２は銅線を巻いた単コイル３６を有したボビン３４を含んでいる。ボビン３４はソレノイド３２の１端の固定位置で永久磁石３８を保持する。ボビンと一体的に複数のシャント部材４０が提供されている。好適にはボビン３４は永久磁石３８に隣接した非磁性スペーサ４２も含んでおり、ソレノイドが脱エネルギーポジションにあるときにプランジャ４４と永久磁石３８との間で固定空間を提供する。
【００２６】
図２で示すソレノイド３２は脱エネルギーポジションである。このポジションではプランジャ４４は非磁性スペーサによって永久磁石３８から分離されている。脱エネルギーポジションにあるとき、すなわちコイル３６にゼロまたは非常に少ない電流が流されると、プランジャ４４は磁極性を持たず、永久磁石３８に引き寄せられる。この状態にあるときプランジャと永久磁石との間で発生する引力はプランジャ４４を非磁性スペーサ４２に対抗して保持させる。スペーサ４２の厚みを望む保持力を達成するように調整し、エネルギー付与時にプランジャをスペーサから開放させるのに必要なエネルギーを特定の作用のために制御することは可能である。戻りバネ４６をオプションで使用し、スペーサ４２に対抗してプランジャに対してさらに力をかけるようにプランジャ４４に作用させることができる。この点で、プランジャ４４に与えられる力はバネ力と磁石力との合算である。これで脱エネルギー状態のソレノイドからさらなる力が与えられる。コイルにエネルギーが与えられるとプランジャ４４は磁石３８と類似したシャント部材を介して磁極性が与えられる。その結果、磁石３８とプランジャ４４との間の反発力は引寄スタッド５６とプランジャ４４との間の引き寄せ力に加えられ、戻りバネ４６の力に打ち克つ強度でなければならない。
【００２７】
ソレノイド３２の内部部品は比較的に堅牢で耐久性がある容器５０内に収容されている。永久磁石３８の端部とは反対側の容器端部５２にはエンドプレート５４が提供されている。エンドプレート５４には引寄スタッド５６が接続されている。電流が単コイル３６に流されていないときには引寄スタッド５６とプランジャ４４は磁極性を有しない。すなわち引寄スタッド５６とスタッド側のプランジャ端部には相互引力が作用しない。この際に磁石の磁力とバネ力はプランジャが引寄スタッド５６から引き離されるように作用する。従って磁石３８、プランジャ４４、複数のシャント部材４０及びソレノイド容器５０は磁石３８により発生されるプランジャに対する比較的に大きな引寄せ力を提供する完全で効率的な磁力回路を創出する。磁石３８のプランジャ４４に対する作用はスペーサ４２に対抗する脱エネルギーポジションに対する比較的に大きな戻り力を提供する戻りバネ４６の力に加えられる。
【００２８】
ソレノイド３２は単コイル３６の脱エネルギー状態時にプランジャに対して比較的に大きな保持力を作用させるシャント部材４０を含んでいる。これら部材が存在しなければ磁力通路の効率は落ち、磁束の大部分はプランジャ４４を通過し、プランジャと引寄スタッド５６との間の比較的に大きなギャップを“跳躍”するであろう。加えて磁力通路は延長され、磁石３８からさらに強力な磁力を必要とするであろう。結果的に磁石３８の負担は小さくなり、磁石に対抗するプランジャの保持力の軽減が図られるであろう。シャント部材４０の作用力はシャント部材４０と容器５０との間の空気間隙を変更することで変化させられる。この間隙は脱エネルギー状態であるプランジャに作用する保持力に影響を及ぼすだけでなく、電流が単コイル３６に流されたときにプランジャを開放するのに必要なエネルギー量にも影響を及ぼす。さらに磁石３８に対するシャント部材４０の軸方向位置はプランジャ４４に対する保持力と、単コイル３６にエネルギーが付与されたときの保持位置からプランジャを開放するのに必要とされるエネルギー量にも影響を及ぼす。すなわち磁石３８からのシャント部材４０の距離が増加すると、プランジャ４４と磁石３８の間の保持力は低下する。従って磁石、ソレノイド容器及びプランジャに対してシャント部材を配置させることは磁力回路の効率を増加させ、脱エネルギー状態ポジションでの保持力の増加と、単コイルへのエネルギー付与によるプランジャの開放に必要なエネルギーの低減をもたらす。
【００２９】
前述のように、ボビン周囲に巻き付けられた単コイルに全く、あるいはほとんど電流が流されていないときにはソレノイドは脱エネルギー状態またはポジションであると考えられる。このポジションで磁石はプランジャとの間に引寄せ力を発生させる。戻りバネ力と合体されて磁力はプランジャ４４に対して比較的に大きな保持力を発生させ、図２で示すように対象装置に対抗してプランジャを固定させる。よってプランジャを休止状態あるいはポジションに維持させるための単コイル内の電流は不要である。
【００３０】
図３で示すソレノイド３２は有エネルギーポジションにある。電流はコイル３６に流れている。コイルの磁極性はシャント部材４０をプランジャの近辺あるいは接触する磁石と同じ磁極性とするものである。コイル３６に通電すると磁石とプランジャ４４の磁極性は同じになる。従ってプランジャ４４と磁石３８との間には反発力が発生する。コイル３６に通電されると引寄スタッド５６側のプランジャの磁極性も反転され、引寄スタッド５６とプランジャ４４との間に引力が提供される。単コイル３６に流される電流が充分なものであれば、引寄スタッド５６とプランジャ４４との間の引力はプランジャ４４と磁石３８との間の反発力と一緒になって戻りバネ４６の力に打ち克ち、ボビン３４の空洞内のプランジャをエンドプレート５４側へ直線運動させる。従って、戻りバネ４６は圧縮され、コイルの脱エネルギー状態時にプランジャ４４は対象装置から引き離される。
【００３１】
第２磁力回路は単コイル３６に通電されたとき容器５０、エンドプレート５４、引寄スタッド５６、プランジャ４４、及びシャント部材５０で提供される。この電磁状態はプランジャ４４を磁石３８の磁極性と反対の磁極性を有した磁石とし、両者間で反発させる。この反発力は引寄スタッド５６とプランジャ４４との間の引力と一緒になり、戻りバネ４６に対抗して電磁コイル単独の場合よりも大きい引寄せ力をプランジャ４４に提供する。コイルの脱エネルギー時に戻りバネ４６はプランジャ４４をスペーサ４２と隣接するまで引き戻す。プランジャ４４が磁石に接近すると電磁界が存在しなくなるため、磁石３８はプランジャ４４に作用する戻りバネ４６の力と共にプランジャ４４を引き寄せる。よって磁石に保存されたエネルギーはプランジャストロークの両方向にてプランジャ４４の作用力を増加させるのに利用される。
【００３２】
別実施例においては第２永久磁石が引寄スタッド５６とエンドプレート５４との間に適した配向性にて設置される。第２磁石の提供によってプランジャ４４に作用する望む総合力を達成させるための磁力の調整ができる。すなわち第２磁石は引寄スタッド５６によりプランジャ４４に作用する力を増強させるように配向される。さらに第２シャント部材をコイル内に提供して磁力を調整し、プランジャ４４に作用する望む総合力を提供することもできる。
【００３３】
従って本発明の１実施例においてはソレノイドは単コイルを有した導磁性殻体を有している。ソレノイドは単コイルの空洞部に提供された可動磁性体も有している。この磁性体は電流が単コイルに流されると磁力を受領するように提供されている。ソレノイドはさらに固定磁極性を有した永久磁石を含んでいる。磁石は電流が単コイルに流されると可動磁性体を反発し、単コイルに電流が流されていないときには可動磁性体の端部を引き寄せる。
【００３４】
本発明の別実施例においては電磁スイッチ装置は単コイルを有したボビンを含んでいる。可動プランジャは永久磁石と同様に単コイル内に収容されている。磁石は非磁性スペーサでプランジャと分離されており、単コイルが脱エネルギー状態時に磁石はプランジャを引き寄せ、単コイルが有エネルギー状態時にプランジャを反発する。
【００３５】
本発明の別実施例においては永久磁石の双方向性アシストを有した単コイルソレノイドの製造方法が提供される。この方法はロビン周囲に１本の導電線を巻き付け、ボビンの空洞部にプランジャを挿入するステップを含んでいる。さらにスペーサと永久磁石をプランジャの１端側に配置し、スペーサに対してプランジャを第１ポジションに押し付けるステップを含む。永久磁石の反対側にはボビンの１端に引寄スタッドを有したエンドプレートも配置される。
【００３６】
本発明の別な特徴によれば、単コイルソレノイドは単コイルにエネルギーが付与されていないときにプランジャとプランジャから離れた永久磁石との間に提供される第１電磁状態の第１磁力回路と、単コイルにエネルギーが付与されているときにプランジャと引寄部材との間で提供される第２電磁状態の第２磁力回路とを含んでいる。
【００３７】
本発明のさらに別な特徴ではソレノイドキットは導電線で巻かれた単コイルを受領するボビンと固定磁極性の永久磁石とを含んでいる。ソレノイドはボビンの空洞を直線的に移動するプランジャと、永久磁石とプランジャとの間に提供された非磁性スペーサとをさらに含んでいる。
【００３８】
以上、本発明を好適実施例を利用して解説した。本発明の範囲内でのその変更や改良は可能である。
【図面の簡単な説明】
【００３９】
【図１】従来技術のソレノイドの断面図である。
【図２】本発明のソレノイドの断面図であり、その脱エネルギーポジションを示す。
【図３】図２で示す本発明のソレノイドの断面図であり、有エネルギーポジションを示す。
【符号の説明】
【００４０】
１０ ソレノイド
１２ 第１コイル
１４ 第２コイル
１６ プランジャ
１８ 鋼製容器
２０ 搭載ブラケット
２２ 戻りバネ
２４ ダストカバー
２６ 双ブレークスイッチ
２８ 保護容器
３２ ソレノイド
３４ ボビン
３６ 単コイル
３８ 永久磁石
４０ シャント部材
４２ 非磁性スペーサ
４４ プランジャ
４６ 戻りバネ
５０ 容器
５２ 容器端部
５４ エンドプレート
５６ 引寄スタッド
【図１】
0004392555.tif 000002
【図２】
0004392555.tif 000003
【図３】
0004392555.tif 000004